(57)【要約】【課題】  タイムスタンプ値のデータ誤りや不連続なタイムスタンプ値の番組を、中断することなくスムースに再生するパケット化データ記録再生装置を実現する。【解決手段】  媒体２１から読み出されるパケット化情報信号からタイムスタンプを分離する分離手段３１と、タイムスタンプ値を順次３個のシフトレジスト位置に記憶する記憶手段３６〜３８と、差分値が所定範囲か、所定範囲を越えたかの異なりでどのパターンに属するかを判定するパターン判定手段４１と、判定されたパターンが予め定められた特定パターンである場合に、特定パターンで指定される位置のタイムスタンプ値を書き換えさせる制御手段４４と、記憶手段に順次記憶されたタイムスタンプ値を基に、媒体２１から読み出したパケット化情報信号を順次出力するパケット化データ出力部３５とを備えて構成した。【選択図】      図１
2008077785.tif 000002
【特許請求の範囲】
【請求項１】
分割された情報信号毎にタイムスタンプを付したパケット化情報信号を媒体に記録し、前記媒体に記録された所定個のパケット化情報信号であるパケット化情報信号群をアクセスしながら読み出し前記パケット化情報信号群から前記タイムスタンプを除いた情報信号群を連続的に出力するパケット化データ記録再生装置において、
前記媒体から読み出される前記パケット化情報信号を前記タイムスタンプと前記分割された情報信号とに分離する分離手段と、
前記分離手段で分離して得られたタイムスタンプに記述された時間データであるタイムスタンプ値を順次３個以上のレジスト位置に記憶し、記憶したものを順次出力するシフトレジスタと、
前記シフトレジスタの各レジスト位置に順次記憶された３個以上のタイムスタンプ値が、それぞれの間の差分値が所定範囲内であることを示す第１の情報と所定範囲内を越えたことを示す第２の情報との組み合わせとして存在しうる複数のパターンのうちどのパターンに属するかを判定するパターン判定手段と、
前記パターン判定手段により属するとして判定されたパターンが、隣接するレジスト位置に記憶されたタイムスタンプ値間の差分値として前記所定範囲内を越えた差分値が複数存在しないパターンの場合は前記各レジスト位置に記憶されたタイムスタンプ値を書き替えさせることなく、隣接するレジスト位置に記憶されたタイムスタンプ値間の差分値として前記所定範囲内を越えた差分値が複数存在するパターンの場合は前記３個以上のレジスト位置の内の時間的に最も前のレジスト位置を除く所定のレジスト位置のタイムスタンプ値を次に記憶されるべきタイムスタンプ値に書き替えさせるように前記シフトレジスタを制御する制御手段と、
前記分離手段で分離された情報信号のうち、前記シフトレジスタから順次出力されるタイムスタンプ値に対応する分割された情報信号を前記情報信号群として連続的に出力するデータ出力手段と、
を備えることを特徴とするパケット化データ記録再生装置。
【請求項２】
分割された情報信号毎にタイムスタンプを付したパケット化情報信号を媒体に記録し、前記媒体に記録された所定個のパケット化情報信号であるパケット化情報信号群をアクセスしながら読み出し前記パケット化情報信号群から前記タイムスタンプを除いた情報信号群を連続的に出力するパケット化データ記録再生方法において、
前記媒体から読み出される前記パケット化情報信号を前記タイムスタンプと前記分割された情報信号とに分離し、
前記分離して得られたタイムスタンプに記述された時間データであるタイムスタンプ値を記憶したものを順次出力するシフトレジスタの３個以上のレジスト位置に順次記憶し、
前記シフトレジスタの各レジスト位置に順次記憶された３個以上のタイムスタンプ値が、それぞれの間の差分値が所定範囲内であることを示す第１の情報と所定範囲内を越えたことを示す第２の情報との組み合わせとして存在しうる複数のパターンのうちどのパターンに属するかを判定し、
前記属するとして判定されたパターンが、隣接するレジスト位置に記憶されたタイムスタンプ値間の差分値として前記所定範囲内を越えた差分値が複数存在しないパターンの場合は前記各レジスト位置に記憶されたタイムスタンプ値を書き替えさせることなく、隣接するレジスト位置に記憶されたタイムスタンプ値間の差分値として前記所定範囲内を越えた差分値が複数存在するパターンの場合は前記３個以上のレジスト位置の内の時間的に最も前のレジスト位置を除く所定のレジスト位置のタイムスタンプ値を次に記憶されるべきタイムスタンプ値に書き替えさせるように前記シフトレジスタを制御し、
前記分離された情報信号のうち、前記シフトレジスタから順次出力されるタイムスタンプ値に対応する分割された情報信号を前記情報信号群として連続的に出力するようになすことを特徴とするパケット化データ記録再生方法。
【発明の詳細な説明】
【技術分野】
【０００１】
本発明は、パケット化された映像、音声データの記録及び再生を行うパケット化データ記録再生装置及びパケット化データ記録再生方法に関する。
【背景技術】
【０００２】
最近になり、ＢＳディジタル、地上波ディジタルなど符号化された映像、音声データがＴＳ（Transport Stream）により放送され、それらのＴＳの受信を行うディジタル信号受信装置が市場導入されるようになってきた。ＭＰＥＧ（moving picture experts group）システム標準に準拠して放送される信号には、符号化及びパケット化されて放送される信号の復号開始時刻を指定するＤＴＳ（Decoding Time Stamp）や、復号化して得られる映像信号を表示したり、音声信号を発音する時刻を指定するＰＴＳ（Presentation Time Stamp）が付されている。ディジタル放送受信装置は受信されるＴＳ信号から基準クロック信号を生成し、生成された基準クロックと受信されるパケットのＤＴＳやＰＴＳを照合することにより同期の取れた映像、音声信号を得ることができる。
【０００３】
一方、ＴＳ信号を記録再生する映像記録再生装置も市場導入されている。例えば、回転ヘッドを用いるディジタル映像記録装置もある。そのディジタル映像記録装置は回転ヘッドの切り換わりタイミングとＴＳパケット化データの入力タイミングによりＴＳパケット化データの連続性を保つための対処方法として、ＴＳパケット化データを少し遅延させてヘッド切り換わりタイミングと重ならないようにして記録する方法を用いている。ＴＳパケット化データを少し遅延させる場合では、データの記録位置を基にした再生では受信された信号と再生される信号とのタイミングがずれてしまう。そのタイミングのずれにより、再生された信号から生成される基準クロック信号にずれが生じてしまう。基準クロック信号は再生装置を動作させるための基準信号であり、基準クロック信号にずれが含まれる場合は正常な復号、表示動作を行えなくなったり、映像、音声信号に歪や雑音が含まれたりする。
【０００４】
その解決方法として、入力時刻情報を生成し、ＴＳパケット化データと共に記録、再生を行うことによりタイミングずれを補正する磁気記録再生装置がある。
図１２を参照し、従来のパケット化データ記録再生装置について説明する。
同図に示す従来のパケット化データ記録再生装置６のパケットデータ処理部６１にはＴＳデータが入力される。入力用タイムカウンタ６３は上記のタイミングのずれを防止するための入力用タイムカウント信号を生成する。生成される入力用タイムカウント信号のカウント値は入力されるクロック信号に応じて１づつカウント値を増加させる。タイムスタンプ付加部６２はパケットデータ処理部６１に入力されたＴＳデータに入力用タイムカウンタ６３で生成された入力用タイムカウント信号を付加し、付加された信号を記録媒体７１に記録する。
【０００５】
タイムスタンプ分離部８１は入力用タイムカウント信号の付加されたＴＳデータを記録媒体７１から読み出すと共に、読み出された入力用タイムカウント信号及びＴＳデータを分離する。データレジスタ８２はＴＳデータを記憶し、タイムスタンプ（ＴＭＳ）レジスタ８６は入力用タイムカウント信号を記憶する。送出用タイムカウンタ９２は、連続して記録されるＴＳパケット化データの単位毎に初期化されたタイムカウント値を生成する。カウント値一致判定部９３は１クロック前にタイムスタンプレジスタ８６から供給された入力用タイムカウント信号と送出用タイムカウンタ９２で生成されたタイムカウント値とを比較し、カウント値が一致したとして判定されたときにシフトパルスを出力する。データレジスタ８２は供給されるシフトパルスに応じて記憶されているＴＳデータを送出ゲート部８５を介して出力する。データリクエスト制御部９８は次の入力用タイムカウント信号の付加されたＴＳデータを記録媒体７１から読出させる。タイムスタンプレジスタ８６は記憶されている入力用タイムカウント信号をカウント値一致判定部９３に供給しておく。
パケット化データ記録再生装置６は、記憶媒体７１に記録されるＴＳ信号の一部のパケット化情報信号に遅延されるパケット化情報信号が含まれる場合であっても、その遅延を入力用タイムカウント信号を用いて補償することが出来る。
【０００６】
しかし、記録媒体に誤りデータが含まれる場合には記録した入力時刻情報が正常に再生されないため、その対策として再生された入力時刻情報をデータ順に比較し、時刻差が一定の割合であるか否かを検出する。誤りデータの含まれる入力時刻情報を破棄するようにして、正確な入力時刻情報を得るようにしてＴＳパケット化データに与えた遅延を補償するようにし、磁気記録再生装置を構成する方法がある。
ところで、ＴＳパケットデータをハードディスクに記録して再生する場合では、記録媒体にテープメディアを用いるのと異なり、再生時に誤りデータが含まれる可能性は少ない。しかし、放送受信状態によっては受信信号からＴＳパケットデータを正確に得られない場合もある。誤りデータを含むＴＳパケットデータは、再生時にパケット化を解いて後に誤りデータが含まれていたことが検出される場合もある。常に正確な基準クロック信号を得られないことになる。
【０００７】
特許文献１には、再生時に、記録媒体から再生した信号のデータエラー検出を容易に行えるようにしたエラー検出装置が開示されている。即ち、ＴＳパケットデータ列であるトランスポートストリームがハードディスクに記録される際にタイムスタンプ付加回路が各ＴＳパケットデータにそれぞれ構成状態を表すタイムスタンプを付加し、差分検出器がハードディスクから各ＴＳパケットデータと共に再生された各タイムスタンプのうち時間軸に沿って順次隣り合う２つの各タイムスタンプ同士の差分値を算出し、エラー検出用比較器が差分値の算出結果に基づいて、タイムスタンプの付加されたＴＳパケットデータにエラーが生じているか否かを検出する。これにより、誤り検出用の誤り訂正符号を必要とせずに、ＴＳパケットデータにエラーが生じているか否かを容易に検出でき、ハードディスクから再生したＴＳパケットデータに対するエラー検出処理を容易に行える様にしたエラー検出装置が開示されている。
【特許文献１】特開２００３−８７７３４号公報
【発明の開示】
【発明が解決しようとする課題】
【０００８】
しかしながら、特許文献１に開示されているエラー検出装置では、受信される１つの番組に対する受信データパケットのデータ誤りや記録メディアのデフェクトに起因して生じるデータエラーにより生じるタイムスタンプの並びの異常を検出することは出来るものの、例えばコマーシャルカットなどにより断続的に記録した場合、異なる番組を続けて記録した場合、記録後に編集した場合、及びランダムアクセスにより異なる記録部分を編集しながら再生した場合などの再生信号からは付加したタイムスタンプは所定の時間間隔で連続的に時刻が増加するタイムスタンプとしては再生されなく、付加したタイムスタンプに不連続が生じる。
【０００９】
従来のパケット化されたディジタルデータの記録再生装置では、連続記録したディジタルデータをそのまま連続再生することを想定しており、上記のような連続しないディジタルデータをそのまま再生しようとする場合では不連続な箇所で次データ待ちとなる。その回避のため、記録再生装置の制御部は、連続記録されたデータ群単位（ルーチン）での再生が終了したとして検出し、送出用タイムカウンタを初期化することにより新たなデータ群単位の再生を開始させるための処理を行うような制御を行う。そのルーチン処理を行うことにより、不連続なタイムスタンプを有する記録番組を続けて再生する方法もある。
【００１０】
さらに、連続して記録される複数番組のそれぞれに係る時刻情報が連続記録情報として記録再生装置内にある場合は、その連続記録情報を用いてルーチン処理の管理を行うことが出来る。しかし、パケット化されたディジタルデータを記録メディア間でコピーする場合、特に、例えば磁気記録媒体に記録された受信データをハードディスクにコピーするなど、種類の異なるメディア間でデータコピーを行う場合などでは連続記録情報などの管理データはコピー対象外となる場合が多い。連続記録情報を用いてルーチン処理を行う場合であっても、連続記録情報がコピーされない場合は連続記録情報を用いたルーチン処理の管理を行うことが出来ない。コピー先で連続記録されたデータを管理するための情報を新たに生成してデータパケットの時間管理を行う必要がある。
以上のように、連続して再生される複数番組のそれぞれについて短時間でルーチン処理を行うことが出来ないなど、複数に分割された番組や複数の記録された番組を連続的にスムーズに再生することの出来るディジタルデータ記録再生装置を実現することはできなかった。
【００１１】
そこで、本発明は、上記のような問題点を解消するためになされたもので、受信データパケットのデータ誤り、記録メディアのデフェクトに起因して生じるタイムスタンプのデータエラーにより生じる時刻情報のデータ誤り、及び複数の番組や複数の番組部分が続けて再生されることにより生じるタイムスタンプ値の不連続、さらには連続記録情報が付されない複数の番組に対しても、それらの番組を中断することなく続けてスムースな再生を可能とするパケット化データ記録再生装置及びパケット化データ記録再生方法を提供することを目的とする。
【課題を解決するための手段】
【００１２】
本願発明における第１の発明は、分割された情報信号毎にタイムスタンプを付したパケット化情報信号を媒体に記録し、前記媒体に記録された所定個のパケット化情報信号であるパケット化情報信号群をアクセスしながら読み出し前記パケット化情報信号群から前記タイムスタンプを除いた情報信号群を連続的に出力するパケット化データ記録再生装置において、前記媒体から読み出される前記パケット化情報信号を前記タイムスタンプと前記分割された情報信号とに分離する分離手段と、前記分離手段で分離して得られたタイムスタンプに記述された時間データであるタイムスタンプ値を順次３個以上のレジスト位置に記憶し、記憶したものを順次出力するシフトレジスタと、前記シフトレジスタの各レジスト位置に順次記憶された３個以上のタイムスタンプ値が、それぞれの間の差分値が所定範囲内であることを示す第１の情報と所定範囲内を越えたことを示す第２の情報との組み合わせとして存在しうる複数のパターンのうちどのパターンに属するかを判定するパターン判定手段と、前記パターン判定手段により属するとして判定されたパターンが、隣接するレジスト位置に記憶されたタイムスタンプ値間の差分値として前記所定範囲内を越えた差分値が複数存在しないパターンの場合は前記各レジスト位置に記憶されたタイムスタンプ値を書き替えさせることなく、隣接するレジスト位置に記憶されたタイムスタンプ値間の差分値として前記所定範囲内を越えた差分値が複数存在するパターンの場合は前記３個以上のレジスト位置の内の時間的に最も前のレジスト位置を除く所定のレジスト位置のタイムスタンプ値を次に記憶されるべきタイムスタンプ値に書き替えさせるように前記シフトレジスタを制御する制御手段と、前記分離手段で分離された情報信号のうち、前記シフトレジスタから順次出力されるタイムスタンプ値に対応する分割された情報信号を前記情報信号群として連続的に出力するデータ出力手段と、を備えることを特徴とするパケット化データ記録再生装置を提供する。
第２の発明は、分割された情報信号毎にタイムスタンプを付したパケット化情報信号を媒体に記録し、前記媒体に記録された所定個のパケット化情報信号であるパケット化情報信号群をアクセスしながら読み出し前記パケット化情報信号群から前記タイムスタンプを除いた情報信号群を連続的に出力するパケット化データ記録再生方法において、前記媒体から読み出される前記パケット化情報信号を前記タイムスタンプと前記分割された情報信号とに分離し、前記分離して得られたタイムスタンプに記述された時間データであるタイムスタンプ値を記憶したものを順次出力するシフトレジスタの３個以上のレジスト位置に順次記憶し、前記シフトレジスタの各レジスト位置に順次記憶された３個以上のタイムスタンプ値が、それぞれの間の差分値が所定範囲内であることを示す第１の情報と所定範囲内を越えたことを示す第２の情報との組み合わせとして存在しうる複数のパターンのうちどのパターンに属するかを判定し、前記属するとして判定されたパターンが、隣接するレジスト位置に記憶されたタイムスタンプ値間の差分値として前記所定範囲内を越えた差分値が複数存在しないパターンの場合は前記各レジスト位置に記憶されたタイムスタンプ値を書き替えさせることなく、隣接するレジスト位置に記憶されたタイムスタンプ値間の差分値として前記所定範囲内を越えた差分値が複数存在するパターンの場合は前記３個以上のレジスト位置の内の時間的に最も前のレジスト位置を除く所定のレジスト位置のタイムスタンプ値を次に記憶されるべきタイムスタンプ値に書き替えさせるように前記シフトレジスタを制御し、前記分離された情報信号のうち、前記シフトレジスタから順次出力されるタイムスタンプ値に対応する分割された情報信号を前記情報信号群として連続的に出力するようになすことを特徴とするパケット化データ記録再生方法を提供する。
【発明の効果】
【００１３】
本発明によれば、媒体から読み出されるパケット化情報信号をタイムスタンプと分割された情報信号とに分離し、分離して得られたタイムスタンプに記述された時間データであるタイムスタンプ値を記憶したものを順次出力するシフトレジスタの３個以上のレジスト位置に順次記憶し、シフトレジスタの各レジスト位置に順次記憶された３個以上のタイムスタンプ値が、それぞれの間の差分値が所定範囲内であることを示す第１の情報と所定範囲内を越えたことを示す第２の情報との組み合わせとして存在しうる複数のパターンのうちどのパターンに属するかを判定し、属するとして判定されたパターンが、隣接するレジスト位置に記憶されたタイムスタンプ値間の差分値として所定範囲内を越えた差分値が複数存在しないパターンの場合は各レジスト位置に記憶されたタイムスタンプ値を書き替えさせることなく、隣接するレジスト位置に記憶されたタイムスタンプ値間の差分値として所定範囲内を越えた差分値が複数存在するパターンの場合は３個以上のレジスト位置の内の時間的に最も前のレジスト位置を除く所定のレジスト位置のタイムスタンプ値を次に記憶されるべきタイムスタンプ値に書き替えさせるようにシフトレジスタを制御し、分離された情報信号のうち、シフトレジスタから順次出力されるタイムスタンプ値に対応する分割された情報信号を情報信号群として連続的に出力するようになす格別な構成があるので、受信データパケットのデータ誤り、記録メディアのデフェクトに起因して生じるタイムスタンプのデータエラーにより生じる時刻情報のデータ誤り、及び複数の番組や複数の番組部分が続けて再生されることにより生じるタイムスタンプ値の不連続、さらには連続記録情報が付されない複数の番組に対しても、それらの番組を中断することなく続けてスムースな再生を可能とするパケット化データ記録再生装置及びパケット化データ記録再生方法を実現できる。
【発明を実施するための最良の形態】
【００１４】
以下に本発明の実施例に係るパケット化データ記録再生装置について図１〜図１１を用いて説明する。
図１は、本発明の実施に係るパケット化データ記録再生装置の構成例を示すブロック図である。図２は、本発明の実施に係るパケット化データ記録再生装置の細部の構成例を示すブロック図である。図３は、本発明の実施に係るパケット化データ記録再生装置の動作を説明するための図（その１）である。図４は、本発明の実施に係るパケット化データ記録再生装置の動作を説明するための図（その２）である。図５は、本発明の実施に係るパケット化データ記録再生装置の動作を説明するための図（その３）である。図６は、本発明の実施に係るパケット化データ記録再生装置の細部の動作を説明するための図（その１）である。図７は、本発明の実施に係るパケット化データ記録再生装置の細部の動作を説明するための図（その２）である。図８は、本発明の実施に係るパケット化データ記録再生装置の細部の動作を説明するための図（その３）である。図９は、本発明の実施に係るパケット化データ記録再生装置の細部の動作を説明するための図（その４）である。図１０は、本発明の実施に係るパケット化データ記録再生装置の細部の動作を説明するための図（その５）である。図１１は、本発明の実施に係るパケット化データ記録再生装置の動作をフローチャートで示した図である。
【００１５】
そのパケット化データ記録再生装置は、受信データパケットのデータ誤り、記録メディアのデフェクトに起因して生じるタイムスタンプのデータエラーにより生じる時刻情報のデータ誤り、及び複数の番組や複数の番組部分が続けて再生されることにより生じるタイムスタンプ値の不連続、さらには連続記録情報が付されない複数の番組に対しても、それらの番組を中断することなく続けてスムースな再生を可能とするパケット化データ記録再生装置を実現するという目的を、媒体から読み出されるパケット化情報信号をタイムスタンプと分割された情報信号とに分離する分離手段と、分離手段で分離して得られたタイムスタンプに記述された時間データであるタイムスタンプ値を順次３個以上のレジスト位置に記憶し、記憶したものを順次出力するシフトレジスタと、シフトレジスタの各レジスト位置に順次記憶された３個以上のタイムスタンプ値が、それぞれの間の差分値が所定範囲内であることを示す第１の情報と所定範囲内を越えたことを示す第２の情報との組み合わせとして存在しうる複数のパターンのうちどのパターンに属するかを判定するパターン判定手段と、パターン判定手段により属するとして判定されたパターンが、隣接するレジスト位置に記憶されたタイムスタンプ値間の差分値として所定範囲内を越えた差分値が複数存在しないパターンの場合は各レジスト位置に記憶されたタイムスタンプ値を書き替えさせることなく、隣接するレジスト位置に記憶されたタイムスタンプ値間の差分値として所定範囲内を越えた差分値が複数存在するパターンの場合は３個以上のレジスト位置の内の時間的に最も前のレジスト位置を除く所定のレジスト位置のタイムスタンプ値を次に記憶されるべきタイムスタンプ値に書き替えさせるようにシフトレジスタを制御する制御手段と、分離手段で分離された情報信号のうち、シフトレジスタから順次出力されるタイムスタンプ値に対応する分割された情報信号を情報信号群として連続的に出力するデータ出力手段とを備えるようにして実現した。
【００１６】
パケット化データ記録再生装置の構成について述べる。
図１に示すパケット化データ記録再生装置１は、パケットデータ処理部１１、タイムスタンプ付加部１２、記録媒体２１、タイムスタンプ分離部３１、データレジスタ＜３＞３２、データレジスタ＜２＞３３、データレジスタ＜１＞３４、送出ゲート部３５、タイムスタンプ（ＴＭＳ）レジスタ＜３＞３６、タイムスタンプレジスタ＜２＞３７、タイムスタンプレジスタ＜１＞３８、パターン判定部４１、送出用タイムカウンタ４２、カウント値一致判定部４３、データ破棄用シフト制御部４４、及びＯＲ回路４５〜４７から構成される。
図２に示すパターン判定部４１は、時間差演算器４１１ａ〜４１１ｃ、レベル判定器４１２ａ〜４１２ｃ、パターン判定器４１３、時刻データ生成器４１４、及び破棄データ判定器４１５より構成される。
【００１７】
パケット化データ記録再生装置の動作について述べる。
まず、パケットデータ処理部１１は、ディジタル放送を受信して入力される例えばＭＰＥＧ（moving picture experts group）システム標準により規定されるＴＳ（Transport Stream）からパケット化された動画、音声信号を取得すると共に参照時刻情報でもある入力タイミング信号を取得する。入力用タイムカウンタ１３は入力されるクロック信号とパケットデータ処理部１１で取得された入力タイミング信号を基にタイムスタンプ信号を生成する。タイムスタンプ付加部１２はパケットデータ処理部１１で取得され、パケット化された動画、音声信号に入力用タイムカウンタ１３で生成されたタイムスタンプ信号を付加したパケット化情報信号を生成する。パケット化情報信号はハードディスクなどの記録媒体２１に記録される。
【００１８】
タイムスタンプ分離部３１は、記録媒体２１に記録され、読み出されたパケット化情報信号をパケット化された動画、音声信号とタイムスタンプ信号とに分離する。データレジスタ＜３＞３２、データレジスタ＜２＞３３及びデータレジスタ＜１＞３４のそれぞれは入力されるパケット化された動画、音声信号の１パケットづつを合計３パケット記憶する。記憶されたパケット化された動画、音声信号は入力されるシフトパルスごとに１パケットづつデータレジスタ＜３＞３２、データレジスタ＜２＞３３、データレジスタ＜１＞３４、及び送出ゲート部３５に転送される。
タイムスタンプレジスタ＜３＞３６、＜２＞３７、及び＜１＞３８のそれぞれはタイムスタンプ分離部３１で分離され、入力されるタイムスタンプ信号の時刻データを３個順に記憶する。それらの時刻データは入力されるシフトパルスごとにタイムスタンプレジスタ＜３＞３６、＜２＞３７、＜１＞３８、及びカウント値一致判定部４３の方に転送される。
【００１９】
パターン判定部４１は、タイムスタンプレジスタ＜３＞３６、＜２＞３７、及び＜１＞３８に記憶される３個の時刻データを後述の５つのパターンのうち、どのパターンに属するかを判定する。通常再生される時刻データは、パケット化されて伝送される時間の単位で増加するため、時刻データは一様に増加する。その一様に増加する時刻データによりパケット化されて受信される動画、音声信号は一連のデータであることが分かる。それに比し、パケットごとの時刻データに大きな時間差がある場合は、その時刻データが誤っているため大きい時間差となったか、又は異なる時刻に記録されたデータであるために時間差が大きいなどによる。パターン判定部４１は時刻データのパターンを判定することにより時刻データが誤っている場合はその時刻データを破棄して次の時刻データを入力させると共に、異なる時刻に記録された動画、音声信号であるとして判定された場合には、送出用タイムカウンタ４２のカウント値をその時刻に初期化する。送出用タイムカウンタ４２は初期化時に与えられたカウント値から、入力されるクロック信号毎にカウント値を所定値づつ増加させた送出用カウント値を生成する。カウント値一致判定部４３は送出用タイムカウンタ４２で生成される送出用カウント値の時刻データと、タイムスタンプレジスタ＜１＞３８から出力されるタイムスタンプ信号の時刻データとを比較し、一致される場合にシフトパルスを生成する。
【００２０】
データ破棄用シフト制御部４４は、パターン判定部４１により時刻データが誤っているため無効であり、無効データを破棄するとして判定された場合に、パケット化された動画、音声信号、及びタイムスタンプ信号を破棄するためのシフトパルスを生成する。ＯＲ回路４５〜４７はカウント値一致判定部４３で時刻データが一致したとして判定された場合に生成されるシフトパルスと、データ破棄用シフト制御部４４で破棄すべきデータであるとして生成されたシフトパルスのＯＲ演算を行い、何れか一方のシフトパルスが生成された場合にデータレジスタ＜３＞３２、＜２＞３３、＜１＞３４、タイムスタンプレジスタ＜３＞３６、＜２＞３７、乃至は＜１＞３８に記憶されているデータをシフトさせる。送出ゲート部３５からはカウント値一致判定部４３で時刻データが一致したとして判定された場合にデータレジスタ＜１＞３４に記憶されているパケット化された誤りデータを含まない動画、音声信号が出力される。また、動画、音声信号が連続して記録されていない場合であっても、個別に記憶された動画、音声信号は連続的な信号として出力される。
また、パケット化された動画、音声信号の開始や終了に係る時刻情報がパケット化情報信号として記録媒体２１に記録され、タイムスタンプ分離部３１においてパケット化情報信号が得られる場合であり、且つパケット化された動画、音声信号の開始や終了時に生じるタイムスタンプ信号の誤りデータや不連続が検出されある場合は、後述のデータケースで述べる方法により時刻データの修正がなされる。
【００２１】
次に、詳細に説明する。
図２を参照してパターン判定部４１について述べる。
同図において、時間差演算器４１１ａ〜４１１ｃのそれぞれにはタイムスタンプレジスタ＜３＞３６、＜２＞３７、及び＜１＞３８のそれぞれに記憶されているタイムスタンプ信号の時刻データが供給され、時刻データ同士の時間差が演算される。レベル判定器４１２ａ〜４１２ｃは、時間差演算器４１１ａ〜４１１ｃのそれぞれで演算して得られる３個の時間差について、それらの時間差はデータパケットの期間に増加する標準的な差分値であるか、又は標準的な差分値を大きく越えた差分値であるかの判定を行う。パターン判定器４１３はレベル判定器４１２ａ〜４１２ｃで判定された３つのレベル判定結果を基に正常なタイムスタンプ値が得られているか、タイムスタンプ値に誤りデータが含まれているか、又は連続しない時刻で記録された動画、音声信号であるかなどを判定する。破棄データ判定器４１５は、タイムスタンプ値に誤りデータが含まれていると判定された場合にはその誤りデータを破棄し、次に入力されるべき信号を入力するための制御信号を生成する。時刻データ生成器４１４は、パターン判定の結果から連続しない時刻で記録された動画、音声信号であるとして判定された場合には、タイムスタンプ値を新たな動画、音声信号に付されているタイムスタンプ値に修正（初期化）するための信号を送出用タイムカウンタ４２に送る。
【００２２】
図３、図４を参照し、パターン判定器４１３で判定されるパターンの種類について述べる。
図３の横軸はタイムスタンプレジスタ＜１＞３８、＜２＞３７、及び＜３＞３６の位置を示す。縦軸はそれらのタイムスタンプレジスタに記憶されるタイムスタンプの時刻データであるタイムスタンプ値を示す。タイムスタンプレジスタ＜３＞３６に入力されたタイムスタンプ値はタイムスタンプレジスタ＜２＞３７、＜１＞３８とシフトされるためタイムスタンプレジスタ＜１＞３８には古いタイムスタンプ値が、タイムスタンプレジスタ＜３＞３６には新しいタイムスタンプ値が入力されている。（以降、タイムスタンプレジスタ＜１＞３８を単に＜１＞と略記することがある。＜２＞、＜３＞も同様。）
ここで、タイムスタンプ値は＜１＞、＜２＞、＜３＞の順に緩やかに増加している。パターン１はシフトパルス毎に増加するタイムスタンプ値は標準的な差分値を与える通常状態のパターンである。
【００２３】
図４（Ａ）〜図４（Ｄ）にパターン２〜パターン５のデータ順に対するタイムスタンプ値の関係を示す。
図４（Ａ）のパターン２は＜１＞と＜２＞との間の差分値は通常状態の差分値であるが＜２＞と＜３＞との差分値及び＜１＞と＜３＞との差分値は通常状態を越えた差分値を与える。＜３＞のタイムスタンプ値が通常状態にない場合である。
図４（Ｂ）のパターン３は＜２＞と＜３＞との間の差分値は通常状態の差分値であるが＜１＞と＜２＞との差分値及び＜１＞と＜３＞との差分値は通常状態を越えた差分値を与える。＜１＞のタイムスタンプ値が通常状態にない場合である。
図４（Ｃ）のパターン４は＜１＞と＜３＞との間の差分値は通常状態の差分値であるが＜１＞と＜２＞との差分値及び＜２＞と＜３＞との差分値は通常状態を越えた差分値を与える。＜２＞のタイムスタンプ値が通常状態にない場合である。
図４（Ｄ）のパターン５は＜１＞、＜２＞、及び＜３＞との間のいずれの差分値も通常状態を越えた差分値を与える。＜１＞、＜２＞、及び＜３＞のタイムスタンプ値の２つ以上が通常状態にない場合である。
【００２４】
図５を参照して判定パターンについてさらに述べる。
同図において、横方向に＜１＞、＜２＞、及び＜３＞それぞれのタイムスタンプ値間の差分値を、縦方向に判定パターンの種類を示す。差分値を通常状態である「小」と、通常状態を越えた「大」とで示す場合、８通りの組合せがある。＜１＞と＜２＞、＜２＞と＜３＞、及び＜１＞と＜３＞との差分値が「小、小、小」である場合は図３に示したパターン１の状態である。順に「小、大、大」「大、小、大」「大、大、小」「大、大、大」はパターン２、３、４、５の状態である。ここで「小、小、大」「小、大、小」「大、小、小」の３つの組合せは存在しないことになるので、８つの組合せのうち５つの組合せについてパターン１〜５を割り当てている。
【００２５】
図６〜図１０を参照し、判定されるパターンに対応したタイムスタンプの処理についてデータケース１〜９のそれぞれについて説明する。
図６（Ａ）の横軸はタイムスタンプレジスタ＜３＞３６に順次タイムスタンプ値が入力されるデータ順を（１）〜（９）で示している。縦軸はタイムスタンプ値である。データ順が（３）の位置でタイムスタンプレジスタ＜１＞３８、＜２＞３７、及び＜３＞３６のそれぞれに（１）、（２）、及び（３）のタイムスタンプ値が記憶されている。それらのタイムスタンプ値は通常状態の差分値を与えるため、パターン１として判定される。つまり、このときに連続３データの判定結果として中心位置データである。同図のデータ順（２）の位置に判定パターンが１であるとして記述されている。その後、データ順（５）までのタイムスタンプ値は通常状態であるため、データ順（３）、（４）の位置の判定パターンは１、１となる。次のデータ順（６）のタイムスタンプ値は通常状態よりも大きな差分値を与えるタイムスタンプ値であるので、データ順（４）〜（６）のタイムスタンプ値はパターン２として判定される。データ順（５）の箇所に記述される判定パターンは、パターン２である。
【００２６】
次のデータ順（７）において、データ順（６）、（７）の差分値は小であり、パターン３である。データ順（６）の箇所に記述される判定パターンは、パターン３である。ここで、パターン３と判定された場合は、タイムスタンプレジスタ＜２＞３７に記憶されるデータ順（６）のタイムスタンプ値が次のシフトパルスにより送出直前となるタイムスタンプレジスタ＜１＞３８にシフトされたタイミングで、送出用タイムカウンタ４２のカウント値をデータ順（６）のタイムスタンプ値に書き換える。データケース１の場合はデータ順（１）〜（５）と、データ順（６）〜（９）とは連続しない時刻で記録された動画、音声信号である。タイムスタンプ値はデータ順（６）の位置で次に再生されるストリームのタイムスタンプ値に初期化され、新たなシリーズの動画、音声信号として送出ゲート部３５から出力される。
【００２７】
図６（Ｂ）はデータ順（５）の位置に大きな差分値を与えるタイムスタンプ値が存在するデータケース２の場合を示した図である。この場合の判定パターンは「１１２４３１１」となる。データ順（６）のタイムスタンプ値およびデータがそれぞれタイムスタンプレジスタ＜３＞３６およびデータレジスタ＜３＞３２に入力されるときにデータ順（５）が中心となる位置で判定パターン４と判定される。パターン４と判定された場合は、データ破棄用シフト制御部４４からレジスタ＜２＞＜３＞に空シフトパルスを入力させることで、タイムスタンプレジスタ＜２＞３７に記憶されるデータ順（５）のタイムスタンプ値およびデータレジスタ＜２＞３３に記憶されるデータ順（５）のデータを破棄し、次のデータ順のタイムスタンプ値およびデータを順次タイムスタンプレジスタ＜２＞３７、＜１＞３８とデータレジスタ＜２＞３３、＜１＞３４に入力させる。それにより判定パターン「４３１１」の処理後判定パターンは「１１１」となる。
【００２８】
図７（Ａ）はデータ順（４）及び（５）が大きな差分値を与えるタイムスタンプ値である、データケース３の場合である。この場合の判定パターンは「１２５５３１１」となる。データ順（４）の位置で、パターン５として判定された場合は、データ破棄用シフト制御部４４からレジスタ＜２＞＜３＞に空シフトパルスを入力させることで、タイムスタンプレジスタ＜２＞３７に記憶されるデータ順（４）のタイムスタンプ値およびデータレジスタ＜２＞３３に記憶されるデータ順（４）のデータを破棄し、次のデータ順のタイムスタンプ値およびデータを順次タイムスタンプレジスタ＜２＞３７、＜１＞３８とデータレジスタ＜２＞３３、＜１＞３４に入力させる。それにより処理後の判定パターンは「５５３１１」が「４３１１」となる。つまり、上記処理後はデータ順（４）の位置でパターン４として判定される。このため、データ破棄用シフト制御部４４からレジスタ＜２＞＜３＞に空シフトパルスを入力させることで、タイムスタンプレジスタ＜２＞３７に記憶されるデータ順（４）のタイムスタンプ値およびデータレジスタ＜２＞３３に記憶されるデータ順（４）のデータを破棄し、次のデータ順のタイムスタンプ値およびデータを順次タイムスタンプレジスタ＜２＞３７、＜１＞３８とデータレジスタ＜２＞３３、＜１＞３４に入力させる。それにより再処理後の判定パターン「４３１１」は「１１１」となる。
【００２９】
図７（Ｂ）はデータ順（４）が大きな差分値を与えるタイムスタンプ値であり、データ順（５）から新たなシリーズの動画、音声信号が始まる場合のデータケース４の場合である。この場合の判定パターンは「１２５３１１１」となる。データ順（４）の位置で、パターン５として判定されるので、データ破棄用シフト制御部４４からレジスタ＜２＞＜３＞に空シフトパルスを入力させることで、タイムスタンプレジスタ＜２＞３７に記憶されるデータ順（４）のタイムスタンプ値およびデータレジスタ＜２＞３３に記憶されるデータ順（４）のデータを破棄し、次のデータ順のタイムスタンプ値およびデータを順次タイムスタンプレジスタ＜２＞３７、＜１＞３８とデータレジスタ＜２＞３３、＜１＞３４に入力させる。それにより処理後の判定パターンは「５３１１１」から「３１１１」になる。つまり、上記処理後はデータ順（４）の位置でパターン３として判定される。データ順（４）の位置でパターン３として判定されている。次のシフトパルスによりデータ順（４）がタイムスタンプレジスタ＜１＞３８にシフトされたタイミングで、送出用タイムカウンタ４２をそのカウント値に初期化することによって、新たなシリーズの動画、音声信号として送出ゲート部３５から出力される。
【００３０】
図８（Ａ）はデータ順（４）及び（５）が大きな差分値を与えるタイムスタンプ値とされるデータケース５の場合である。判定パターンは「１２５５３１１」となる。データ順（４）における判定パターン５となる位置でタイムスタンプレジスタ＜２＞３７およびデータレジスタ＜２＞３３に記憶されるデータ順（４）のタイムスタンプ値およびデータを破棄し、次のデータ順のタイムスタンプ値およびデータを順次タイムスタンプレジスタ＜２＞３７、＜１＞３８およびデータレジスタ＜２＞３３、＜１＞３４に入力させる。それにより判定パターは「５５３１１」が「５３１１」となる。データ順（４）における判定パターンは５であるので、再度タイムスタンプレジスタ＜２＞３７およびデータレジスタ＜２＞３３に記憶されるデータ順（４）のタイムスタンプ値およびデータを破棄し、次のデータ順のタイムスタンプ値およびデータを順次タイムスタンプレジスタ＜２＞３７、＜１＞３８およびデータレジスタ＜２＞３３、＜１＞３４に入力させる。その再処理により判定パターン「５３１１」は「３１１」となる。データ順（４）のタイムスタンプ値およびデータが次のシフトパルスによって送出直前レジスタに移った段階でタイムカウンタをそのタイムスタンプ値に初期化させて、新たなシリーズの動画、音声信号として送出ゲート部３５から出力させる再々処理を行う。
【００３１】
図８（Ｂ）は、データ順（１）の位置より新たなシリーズの動画、音声信号の再生開始を行うに際し、データ順（１）で大きな差分値を与えるタイムスタンプ値が存在しているデータケース６の場合である。この場合の判定パターンは「３１１１１１１」とされる。最初のデータにより最初の判定パターン３が生成されたことから、最初のデータが入っているタイムスタンプレジスタ＜１＞３８およびデータレジスタ＜１＞３４の記憶内容を破棄するようにシフトレジスタをシフトさせる。処理後の判定パターンは「１１１１１１」となる。この状態は通常のデータ送出パターンであるから、この状態のタイムスタンプレジスタ＜１＞３８にあるタイムスタンプ値で送出用タイムカウンタ４２を初期化することで、データ送出がスタートする。
【００３２】
図９（Ａ）は、シリーズの動画、音声信号の再生終了時に、データ順（９）で大きな差分値を与えるタイムスタンプ値が存在しているデータケース７の場合である。この場合は、データ順（９）の位置でタイムスタンプレジスタ＜２＞３７に記憶される最終のタイムスタンプ値およびデータレジスタ＜２＞３３に記憶される最終のデータを破棄し、送出処理を修了させる。
【００３３】
図９（Ｂ）は、データ順（１）の位置より新たなシリーズの動画、音声信号の再生開始を行うに際し、データ順（２）で大きな差分値を与えるタイムスタンプ値が存在しているデータケース８の場合である。この場合の判定パターンは「４３１１１１１」とされる。この最初の判定パターン４が検出された時点でのタイムスタンプレジスタ＜２＞３７およびデータレジスタ＜２＞３３の内容を破棄し、その後のデータを順次シフトさせる。処理後の判定パターンは「１１１１１１」となる。この状態は通常のデータ送出パターンであるから、この状態のタイムスタンプレジスタ＜１＞３８にあるタイムスタンプ値で送出用タイムカウンタ４２を初期化することで、データ送出がスタートする。
【００３４】
図１０は、データ順（１）の位置より新たなシリーズの動画、音声信号の再生開始を行うに際し、データ順（１）（２）で大きな差分値を与えるタイムスタンプ値が存在しているデータケース９の場合である。この場合の判定パターンは「５３１１１１１」とされる。この最初の判定パターン５が検出された時点でのタイムスタンプレジスタ＜２＞３７およびデータレジスタ＜２＞３３の内容を破棄し、その後のデータを順次シフトさせる。処理後の判定パターンは「３１１１１１」となる。この状態での最初のデータで最初の判定パターン３が生成されていることから、このデータが入っているタイムスタンプレジスタ＜１＞３８およびデータレジスタ＜１＞３４の記憶内容を破棄するようにシフトレジスタをシフトさせる。再処理後の判定パターンは「１１１１１」となる。この状態は通常のデータ送出パターンであるから、この状態のタイムスタンプレジスタ＜１＞３８にあるタイムスタンプ値で送出用タイムカウンタ４２を初期化することで、データ送出がスタートする。
【００３５】
図１１を参照し、データケース１〜９で示した処理の流れを説明する。
まず、Ｓ（ステップ）５１でパターン判定部４１のパターン判定器４１３はレベル判定器４１２ａ〜４１２ｃでレベル判定して得られた大、小の判定値を基にパターン判定を行う。Ｓ５２でパターンは３以下でないとして検出される場合はＳ５９へ進みタイムスタンプレジスタ＜２＞３７に記憶されているタイムスタンプ値を破棄し、そこに次のタイムスタンプ値をシフトさせながら入力する。Ｓ５２でパターンは３以下であるとして検出される場合はＳ５３に進む。Ｓ５３でパターンの値が１であるとして検出される場合はＳ６１に進み、パターンの値が２であるとして検出される場合はＳ５４に進む。Ｓ５４で、再生されるパケット化された動画、音声信号ストリームがデータエンドであるとして検出される場合はタイムスタンプレジスタ＜２＞３７に記憶されているタイムスタンプ値を破棄し、そこに次のタイムスタンプ値をシフトさせながら入力してＳ６１に進む。Ｓ５４で、動画、音声信号ストリームがデータエンドであるとして検出されない場合はＳ６１に進む。
【００３６】
Ｓ５３でパターンの値が３であるとして検出される場合はＳ５６に進み、動画、音声信号ストリームが開始直後であるか否かを検出する。開始直後として検出される場合は、Ｓ５７でタイムスタンプレジスタ＜１＞３８に記憶されているタイムスタンプ値を破棄し、そこに、次に入力すべきタイムスタンプ値のデータをシフトさせて入力し、Ｓ６１に進む。Ｓ５６で開始直後として検出されない場合は、Ｓ５８でタイムスタンプレジスタ＜２＞３７に記憶されているタイムスタンプ値がタイムスタンプレジスタ＜１＞３８を介してカウント値一致判定部４３に出力されるタイミング、即ちデータレジスタ＜１＞３４に記憶されるパケット化された動画、音声信号が送出ゲート部３５から送出されるタイミングに合う様に送出用タイムカウンタ４２の値を初期化し、Ｓ６１に進む。Ｓ６１では次のシフトパルスが供給されるまで動作を待機する。Ｓ６２で動画、音声信号の再生を終了するか否かを検出し、終了しないとして検出される場合はＳ５１からの動作を繰り返し、終了するとして検出される場合は動画、音声信号の再生を終了する。
【００３７】
記録媒体から再生され、３個のシフトレジスタ３６〜３８に記憶される３個のタイムスタンプ値の差分値を順次求め、その差分値の組合せによりパターン判定を行い、判定されたパターンの値に従ってタイムスタンプ値を破棄したり、新たなタイムスタンプ値から送出用タイムカウンタ４２のカウントを開始させる様にし、タイムスタンプ値に誤りデータが含まれる場合、及び異なる時間帯で記録されたビットストリームを連続的に再生するパケット化データ記録再生装置について述べた。それらのシフトレジスタは４個以上を用いて構成することも出来る。４個以上を用いる場合では、それらのシフトレジスタに記憶されるタイムスタンプ値同士の差分値の組合せにより存在しうるパターンによりタイムスタンプ値の状態を分類する。タイムスタンプ値の状態によりタイムスタンプ値に誤りが含まれていることを示すパターンの場合は、所定のレジスト位置に記憶されているタイムスタンプ値を破棄し、次に記憶すべき新たなタイムスタンプ値を記憶させる。タイムスタンプ値が、例えばＣＭカットして再生するような異なるパケット化情報信号群をアクセスして連続的に再生することを示すパターンの場合は送出用タイムカウンタ４２を後に再生する方のパケット化情報信号群のタイムスタンプ値に書き替えるようにする。異なるパケット化情報信号群をアクセスして連続的に再生する際に、アクセスのために誤りデータが生じる様な場合であっても、多くのパターンの組合せによりタイムスタンプ値の状態を細かく分類することができ、多くの差分値の場合分けによるタイムスタンプ値の破棄、更新を適応的に行わせることが出来る。よって、パケット化データ記録再生装置は、記録媒体１に記録されたタイムスタンプの付されるパケット化情報信号を間欠的に読み出し、間欠読出しの開始及び終了時点でのタイムスタンプ値の不連続に対しても誤りデータを含まない符号化及びパケット化されたオーディオ信号の付される動画信号などの情報信号を連続してスムーズに出力することが出来る。
【００３８】
なお、ここで、タイムスタンプ値に誤りデータが含まれる場合は、そのデータを破棄し、次のタイムスタンプ値をタイムスタンプレジスタに供給するとして述べた。例えば、図６（Ｂ）に示したデータ順（５）のタイムスタンプ値はデータ順（４）、（６）のタイムスタンプ値より補間して得ることが出来る。図示しないデータの誤り検出回路により情報信号に誤りデータが含まれないとして検出され、タイムスタンプ値のみが誤っているとして検出された場合には、誤りを含むタイムスタンプ値を補間により得られる値を用いるようにしても良い。
【００３９】
以上のように、本実施例で示したパケット化データ記録再生装置によれば、
媒体２１から読み出されるパケット化情報信号をタイムスタンプと分割された情報信号とに分離する分離手段３１と、分離手段で分離して得られたタイムスタンプに記述された時間データであるタイムスタンプ値を順次３個以上のレジスト位置に記憶し、記憶したものを順次出力するシフトレジスタ３６〜３８と、シフトレジスタの各レジスト位置に順次記憶された３個以上のタイムスタンプ値が、それぞれの間の差分値が所定範囲内であることを示す第１の情報と所定範囲内を越えたことを示す第２の情報との組み合わせとして存在しうる複数のパターンのうちどのパターンに属するかを判定するパターン判定手段４１と、パターン判定手段により属するとして判定されたパターンが、隣接するレジスト位置に記憶されたタイムスタンプ値間の差分値として所定範囲内を越えた差分値が複数存在しないパターンの場合は各レジスト位置に記憶されたタイムスタンプ値を書き替えさせることなく、隣接するレジスト位置に記憶されたタイムスタンプ値間の差分値として所定範囲内を越えた差分値が複数存在するパターンの場合は３個以上のレジスト位置の内の時間的に最も前のレジスト位置を除く所定のレジスト位置のタイムスタンプ値を次に記憶されるべきタイムスタンプ値に書き替えさせるようにシフトレジスタを制御する制御手段４４と、分離手段で分離された情報信号のうち、シフトレジスタから順次出力されるタイムスタンプ値に対応する分割された情報信号を情報信号群として連続的に出力するデータ出力手段３２〜３５とを備える構成があるので、受信データパケットのデータ誤り、記録メディアのデフェクトに起因して生じるタイムスタンプのデータエラーにより生じる時刻情報のデータ誤り、及び複数の番組や複数の番組部分が続けて再生されることにより生じるタイムスタンプ値の不連続、さらには連続記録情報が付されない複数の番組に対しても、それらの番組を中断することなく続けてスムースな再生を可能とするパケット化データ記録再生装置を実現できる。
【図面の簡単な説明】
【００４０】
【図１】本発明の実施に係るパケット化データ記録再生装置の構成例を示すブロック図である。
【図２】本発明の実施に係るパケット化データ記録再生装置の細部の構成例を示すブロック図である。
【図３】本発明の実施に係るパケット化データ記録再生装置の動作を説明するための図（その１）である。
【図４】本発明の実施に係るパケット化データ記録再生装置の動作を説明するための図（その２）である。
【図５】本発明の実施に係るパケット化データ記録再生装置の動作を説明するための図（その３）である。
【図６】本発明の実施に係るパケット化データ記録再生装置の細部の動作を説明するための図（その１）である。
【図７】本発明の実施に係るパケット化データ記録再生装置の細部の動作を説明するための図（その２）である。
【図８】本発明の実施に係るパケット化データ記録再生装置の細部の動作を説明するための図（その３）である。
【図９】本発明の実施に係るパケット化データ記録再生装置の細部の動作を説明するための図（その４）である。
【図１０】本発明の実施に係るパケット化データ記録再生装置の細部の動作を説明するための図（その５）である。
【図１１】本発明の実施に係るパケット化データ記録再生装置の動作をフローチャートで示した図である。
【図１２】従来の実施に係るパケット化データ記録再生装置の構成例を示すブロック図である。
【符号の説明】
【００４１】
１、６    パケット化データ記録再生装置
１１、６１    パケットデータ処理部
１２、６２    タイムスタンプ付加部
１３、６３    入力用タイムカウンタ
２１、７１    記録媒体
３１、８３    タイムスタンプ分離部
３２    データレジスタ＜３＞
３３    データレジスタ＜２＞
３４    データレジスタ＜１＞
３５、８５    送出ゲート部
３６    タイムスタンプレジスタ＜３＞
３７    タイムスタンプレジスタ＜２＞
３８    タイムスタンプレジスタ＜１＞
４１    パターン判定部
４２、９２    送出用タイムカウンタ
４３、９３    カウント値一致判定部
４４    データ破棄用シフト制御部
４５〜４７    ＯＲ回路
８２    データレジスタ
８６    タイムスタンプレジスタ
４１１ａ〜４１１ｃ    時間差演算器
４１２ａ〜４１２ｃ    レベル判定器
４１３    パターン判定器
４１４    時刻データ生成器
４１５    破棄データ判定器
【図１】
2008077785.tif 000003
【図２】
2008077785.tif 000004
【図３】
2008077785.tif 000005
【図４】
2008077785.tif 000006
【図５】
2008077785.tif 000007
【図６】
2008077785.tif 000008
【図７】
2008077785.tif 000009
【図８】
2008077785.tif 000010
【図９】
2008077785.tif 000011
【図１０】
2008077785.tif 000012
【図１１】
2008077785.tif 000013
【図１２】
2008077785.tif 000014